(57)【特許請求の範囲】
【請求項１】
薬液を収容したシリンジの外筒部を水平に保持するシリンジ台と、
上記シリンジ台の端部に設けられるとともに、上記外筒部の端部に形成されたツバ部を収容するシリンジツバ溝と、上記シリンジ台に保持されたシリンジのプシッャー部を所定速度で押動する押動部と、上記押動部に形成されるとともに上記プッシャー部の端部を保持できるフォーク部とを備える、シリンジポンプであって、
上記シリンジツバ溝の上記押動部側縁壁部の底面高さを、上記シリンジ台の底面高さより高く設定し、
上記ツバ部が、上記シリンジツバ溝に収容されない場合、上記外筒部が傾斜させられて、上記プッシャー部の端部を上記フォーク部に保持させることができないように構成した、シリンジポンプ。
【発明の詳細な説明】
【技術分野】
【０００１】
本発明は、シリンジをシリンジポンプにセットするときに指定位置に正確にセットしない場合、シリンジを傾斜させてポンプを作動できないように構成したシリンジポンプに関するものである。
【背景技術】
【０００２】
シリンジポンプは、微量投与で効き目がある薬液を持続的注入に用いられることが多い。従来から、薬液を充填したシリンジをシリンジポンプの所定の位置にマウントして、所望する投与速度（流量）を設定して静脈投与を行っている。シリンジポンプはその性格上患者の近くに置かれるが、ポンプ操作は看護師など医療従事者が行なうため、患者より高い位置にセッテングされることが大半である。近年、シリンジポンプの使用頻度の上昇とともに、シリンジポンプ特有のサイフォニング現象による急速注入事故例が増えてきた。サイフォニング現象とは、シリンジに薬液が充填された状態で、シリンジのプッシャー部の端部がシリンジポンプの押動部のフォーク部に保持されていないとき、注入回路により落差が生じていれば、その落差だけでシリンジ内の薬液が一気に注入されてしまう現象であり、患者の生命を脅かすことになる。これらの安全対策として、上記プッシャー部の端部が押動部のフォーク部に保持されていないときは、シリンジポンプが起動してはならないという機能を搭載しなければならないとなった。これを受けて、各シリンジポンプ製造元では、プッシャー部の端部がシリンジポンプの押動部に設けたフォーク部に固定されていないときポンプが動作しないような対策をとった。
【発明の開示】
【発明が解決しようとする課題】
【０００３】
注入回路接続先によっては負圧回路に接続される場合がある。この場合、シリンジの外筒部をシリンジ台に載置するとともに、ツバ部を、上記シリンジ台の端部に設けられたシリンジツバ溝へセットしてシリンジ外筒部を固定しなければ、上記負圧により、シリンジ外筒部が押動部側へ引き寄せられる現象が発生する。また、シリンジポンプと患者間の落差が大きい使用条件でも、サイフォニング現象によってシリンジ内に負圧が発生し、シリンジ外筒部が押動部側へ引き寄せられる現象が発生する。図４に示すように、従来のシリンジポンプにおいては、上記シリンジツバ溝の上記押動部側縁壁部を含むシリンジ台全体の底面高さが同一であるため、図８に示すように、上記ツバ部が上記シリンジツバ溝に収容されない状態でも、シリンジが水平に保持されることになる。この結果、上記プッシャー部の端部を押動部のフォークに保持することが可能となり、シリンジが正しくセットされていなくても、シリンジポンプが動作してしまうという問題があった。本発明は、以上のような欠点をなくすためになされたものであり、シリンジを正しくセットしない場合にシリンジポンプを作動できないように構成したものである。
【課題を解決するための手段】
【０００４】
本願発明は、薬液を収容したシリンジの外筒部を水平に保持するシリンジ台と、上記シリンジ台の端部に設けられるとともに、上記外筒部の端部に形成されたツバ部を収容するシリンジツバ溝と、上記シリンジ台に保持されたシリンジのプシッャー部を所定速度で押動する押動部と、上記押動部に形成されるとともに上記プッシャー部の端部を保持できるフォーク部とを備える、シリンジポンプであって、上記シリンジツバ溝の上記押動部側縁壁部の底面高さを、上記シリンジ台の底面高さより高く設定し、上記ツバ部が、上記シリンジツバ溝に収容されない場合、上記シリンジの外筒部が傾斜させられて、上記プッシャー部の端部を上記フォーク部に保持させることができないように構成したものである。
【０００５】
本願発明では、シリンジのツバ部を収容するシリンジツバ溝の上記押動部側縁壁部の底面高さを、上記シリンジ台の底面高さより高く設定する。シリンジツバ溝にツバ部が収容されると、シリンジの外筒部が上記シリンジ台に水平に保持される。この状態でプッシャー部の端部が押動部のフォーク部にセットされる。
【０００６】
上記ツバ部がシリンジ台上に位置する場合は、上記外筒部の外面と上記ツバ部外周部の段差によってシリンジが傾斜させられる。これにより、プッシャー部の端部を上記押動部のフォーク部にセットできない。
【０００７】
また、上記ツバ部が、上記シリンジツバ溝の上記押動部側縁壁部より押動部側に外れて位置する場合、すなわち、上記ツバ部が上記押動部側縁壁部を乗り越えたような位置にセットされた場合、上記シリンジ台と上記押動部側縁壁部との底面高さの相異によって、上記シリンジが傾斜させられる。これにより、上記プッシャー部の端部を上記押動部のフォーク部にセットできない。
【０００８】
すなわち、上記構成によって、シリンジのツバ部が上記シリンジツバ溝に収容されないかぎり、シリンジが傾斜してシリンジをシリンジポンプにセットできず、シリンジポンプを作動させることはできない。これにより、シリンジが正しくセットされていない場合にポンプが作動させられることはなくなり、安全性が格段に向上する。
【発明の効果】
【０００９】
シリンジが適正な状態でセットされないかぎり、シリンジポンプが作動させられることがないように構成されるため、安全性が向上する。
【発明を実施するための最良の形態】
【００１０】
以下、本願発明の実施形態を図に基づいて具体的に説明する。
【００１１】
図１及び図２に示すように、シリンジポンプ１は、シリンジの外筒部７を保持するシリンジ台２，３と、上記外筒部に挿入されたシリンジプッシャー部９を保持するとともに、押動させて上記外筒部７内に収容された薬液を押し出す押動部１０とを備える。
【００１２】
上記シリンジ台３の上記押動部側端部には、上記外筒部７の端部に形成されたツバ部８を収容するシリンジツバ溝６が形成されている。上記シリンジツバ溝６は、上記ツバ部８の厚さより若干広い幅で形成されており、シリンジ外筒部７を位置決め固定するために設けられている。
【００１３】
上記押動部１０には、上記プッシャー部９の端部を保持できるフォーク部１１が形成されている。上記プッシャー部９は、その端部が上記フォーク部１１に連結保持された状態で上記押動部１０によって押動させられる。
【００１４】
図３に示すように、本実施形態では、上記シリンジツバ溝６の上記押動部側縁壁部４の底面４ａの高さを、上記シリンジ台２，３の底面２ａ，３ａの高さより高く設定している。
【００１５】
図５に示すように、上記ツバ部８が上記シリンジツバ溝６に収容された状態では、上記外筒部７が上記シリンジ台２，３に水平に保持される。このため、上記プッシャー部９の端部を上記押動部１０のフォーク部１１に保持させることができる。これにより、シリンジに負圧が作用した場合でも、シンリンの外筒部７が移動することはなく、安定した薬液の注入を行うことができる。
【００１６】
一方、図３及び図７に示すように、上記ツバ部８がシリンジツバ溝６の押動部側縁壁部４を乗り越えた状態でセットされた場合、上記シリンジ台２，３の底面２ａ，３ａの高さと、上記押動部側縁壁部４の底面４ａの高さがＨだけ異なるため、上記外筒部７が傾斜させられる。これにより、上記プッシャー部９の端部を上記フォーク部１１に保持させることができなくなるように設定している。このため、シリンジポンプ１を作動させることはできない。したがって、安全性が確保される。
【００１７】
また、図９に示すように、上記ツバ部８が上記シリンジ台３上に位置した状態でセットされた場合、上記外筒部７の外面と上記ツバ部８の外周縁部の寸法の相異によって、上記外筒部７が傾斜させられる。これにより、上記プッシャー部９の端部を上記フォーク部１１に保持させることができなくなるように設定している。このため、この場合においても、シリンジポンプ１作動させることはできない。したがって、安全性が確保される。
【００１８】
なお、上述した実施形態では、上記プッシャー部９の端部を押動部１０のフォーク部１１に保持させることができないことにより、シリンジポンプを作動させないように構成したが、シリンジが適正状態でセットされたことを検出してシリンジポンプを作動させるように構成し、上記シリンジポンプが傾斜した場合に、シリンジポンプを検出できないようにしてシリンジポンプを作動させないようにすることもできる。
【図面の簡単な説明】
【００１９】
【図１】本願発明に係るシリンジポンプの正面図である。
【図２】本願発明に係るシリンジポンプの平面図である。
【図３】図２におけるＡ−Ａ’線断面図である。
【図４】従来のシリンジポンプの図３に対応する断面図である。
【図５】図２に示す本願発明に係るシリンジポンプの適正位置にシリンジをセットし    た状態を示す断面図である。
【図６】従来のシリンジポンプの適正位置にシリンジをセットした状態を示す図であ    り、図４に対応する断面図である。
【図７】図２に示す本願発明に係るシリンジポンプの不適正な位置に適正位置にシリ    ンジをセットした状態を示す断面図である。
【図８】従来のシリンジポンプの不適正位置にシリンジをセットした状態を示す図で    あり、図７に対応する断面図である。
【図９】図２に示す本願発明に係るシリンジポンプの不適正な位置にシリンジをセッ    トした状態を示す断面図である。
【符号の説明】
【００２０】
１  シリンジポンプ
２  シリンジ台
２ａ  シリンジ台２の底面
３  シリンジ台
３ａ  シリンジ台３の底面
４  押動部側縁壁部
４ａ  押動部側縁壁部の底面
５  シリンジ押さえ
６  シリンジツバ溝
７  （シリンジの）外筒部
８  シリンジツバ部
９  （シリンジの）プッシャー部
１０  押動部
１１  フォーク部
【図１】
0004719484.tif 000002
【図２】
0004719484.tif 000003
【図３】
0004719484.tif 000004
【図４】
0004719484.tif 000005
【図５】
0004719484.tif 000006
【図６】
0004719484.tif 000007
【図７】
0004719484.tif 000008
【図８】
0004719484.tif 000009
【図９】
0004719484.tif 000010